(57)【要約】【課題】チャンネル切替後、目的チャンネルの番組が表示されないためのユーザの不満を緩和するデジタルＴＶ放送受信装置を提供する。【解決手段】デジタル放送受信装置８０は、デジタル放送信号を受信し、指定されたチャンネルのデジタル放送信号に含まれる映像信号を復号し、デジタル放送信号に含まれる文字情報を処理する受信処理ブロック９２と、受信処理ブロック９２の出力を受け表示画面を作成する映像処理部９６と、受信処理ブロック９２及び映像処理部９６を制御する中央処理部１０４とを含む。チャンネル切替指示があると、中央処理部１０４は、指示されたチャンネルのデジタル放送信号を映像処理部９６が復号して正常な映像信号を出力することが可能になるまで、映像処理部９６から出力される指示されたチャンネルの文字情報を表示する。【選択図】        図３
2008294685.tif 000002
【特許請求の範囲】
【請求項１】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
ユーザからチャンネル切替指示を受けたことに応答して、前記映像信号受信処理手段、及び前記映像処理手段を制御して、前記チャンネル切替指示により指示されるチャンネルのデジタル放送信号に含まれる映像信号を表示部に出力させるための制御手段とを含み、
前記映像処理手段は、
前記映像信号による映像画面を作成するための映像画面作成手段と、
前記文字情報による文字情報画面を作成する文字情報画面作成手段と、
前記映像画面作成手段と前記文字情報画面作成手段とによりそれぞれ作成された、前記映像画面と前記文字情報画面とのいずれかを、前記制御手段の出力信号に応じて前記表示部へ出力するための切替手段とを含み、
前記制御手段は、
ユーザからチャンネル切替指示を受けたことに応答して、前記映像信号受信処理手段に、前記チャンネル切替指示により指示されるチャンネルのデジタル放送信号に含まれる映像信号の復号及び文字情報の処理を開始させるための手段と、
ユーザからチャンネル切替指示を受けたことに応答して、前記文字情報画面作成手段に、文字情報画面を作成させるための手段と、
ユーザからチャンネル切替指示を受けたことに応答して、前記文字情報画面を前記表示部に出力させるよう前記切替手段に信号を与えるための手段と、
前記映像処理手段が正常な映像信号を出力することが可能となったことに応答して、前記映像画面作成手段の出力する前記映像画面を、前記文字情報画面に代えて前記表示部に出力させるよう前記切替手段に信号を与えるための手段とを含む、デジタル放送受信装置。
【請求項２】
前記文字情報は、前記指定されたチャンネルが現在放送中の番組に関する情報、及び当該チャンネルが次に放送予定の番組に関する情報を含み、
前記文字情報画面作成手段は、
前記現在放送中の番組に関する情報、又は、前記次に放送予定の番組に関する情報、若しくはその組合せにより、前記文字情報画面を作成するための番組情報画面作成手段を含む、請求項１に記載のデジタル放送受信装置。
【請求項３】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
ユーザからチャンネル切替指示を受けたことに応答して、前記映像信号受信処理手段、及び前記映像処理手段を制御して、前記チャンネル切替指示により指示されるチャンネルのデジタル放送信号に含まれる映像信号を表示部に出力させるための制御手段とを含むデジタル放送受信装置において、チャンネルを変更するための、デジタル放送受信装置の制御方法であって、
前記映像処理手段は、
前記映像信号による映像画面を作成するための映像画面作成手段と、
前記文字情報による文字情報画面を作成するための文字情報画面作成手段と、
前記映像画面作成手段と前記文字情報画面作成手段とによりそれぞれ作成された、前記映像画面と前記文字情報画面とのいずれかを、前記制御手段の出力信号に応じて前記表示部へ出力するための切替手段とを含み、
前記方法は、
前記制御手段が、ユーザからチャンネル切替指示を受けたことに応答して、前記映像信号受信処理手段に、前記チャンネル切替指示により指示されるチャンネルのデジタル放送信号に含まれる映像信号の復号及び文字情報の処理を開始させるステップと、
前記制御手段が、ユーザからチャンネル切替指示を受けたことに応答して、前記文字情報画面作成手段に、文字情報画面を作成させるステップと、
前記制御手段が、ユーザからチャンネル切替指示を受けたことに応答して、前記文字情報画面を前記表示部に出力させるよう前記切替手段に信号を与えるステップと、
前記制御手段が、前記映像処理手段が正常な映像信号を出力することが可能となったことに応答して、前記映像画面作成手段の出力する前記映像画面を、前記文字情報画面に代えて前記表示部に出力させるよう前記切替手段に信号を与えるステップとを含む、デジタル放送受信装置の制御方法。
【請求項４】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
ユーザからチャンネル切替指示を受けたことに応答して、前記映像信号受信処理手段、及び前記映像処理手段を制御するためのコンピュータとを含むデジタル放送受信装置において、前記コンピュータにより実行されることによって、チャンネルを変更するための制御装置を実現するためのコンピュータプログラムであって、
前記映像処理手段は、
前記映像信号による映像画面を作成するための映像画面作成手段と、
前記文字情報による文字情報画面を作成する文字情報画面作成手段と、
前記映像画面作成手段と前記文字情報画面作成手段とによりそれぞれ作成された、前記映像画面と前記文字情報画面とのいずれかを、前記制御手段の出力信号に応じて前記表示部へ出力するための切替手段とを含み、
前記コンピュータプログラムは、前記コンピュータを、
ユーザからチャンネル切替指示を受けたことに応答して、前記映像信号受信処理手段に、前記チャンネル切替指示により指示されるチャンネルのデジタル放送信号に含まれる映像信号の復号及び文字情報の処理を開始させるための手段と、
ユーザからチャンネル切替指示を受けたことに応答して、前記文字情報作成手段に、前記文字情報を作成させるための手段と、
ユーザからチャンネル切替指示を受けたことに応答して、前記文字情報画面を前記表示部に出力させるよう前記切替手段に信号を与えるための手段と、
前記映像処理手段が正常な映像信号を出力することが可能となったことに応答して、前記映像画面作成手段の出力する前記映像画面を、前記文字情報画面に代えて前記表示部に出力させるよう前記切替手段に信号を与えるための手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送においてチャンネルを切替えたときの映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
帯域を有効に使用するために、デジタルテレビ放送では画像の符号化が行なわれている。画像の符号化には、フレーム内予測符号化、フレーム間予測符号化などの予測符号化技術が採用されている。このような技術を採用することにより、送信されるデータ量を少なくしながら、鮮明な画質のデジタルテレビ放送を行なうことができる。
【０００４】
しかし、予測符号化方式を採用したことにより、次のような不都合が生じている。すなわち、予測符号化技術を採用しているため、あるフレームの画像を作成するためには、時間的にそれに先立つ画像が必要とされることがある。そのため、ある放送局のデジタルテレビ放送信号を最初に受信し、これをデコードするためにはある時間が必要とされる。この間に受信される信号のみから映像を再構成することはできない。そのため、チャンネルの切替があった後、前の画像に依存しない特定の画像フレームを受信するまでの間、画面には何も表示されないことになる。この時間はわずかではあるが、チャンネルを切替えた直後に画面が真っ暗になるため、ユーザにパニックを引起こすという問題がある。
【０００５】
こうした問題を解決するために、後述する特許文献１には、チャンネルの切替後、目的チャンネルの映像表示が可能になるまでの間、「チャンネル切替中です」などのメッセージを画面に表示する技術が開示されている。こうしたメッセージを表示することにより、少なくともユーザは、テレビ受像機が故障してはいないことについて理解することができる。
【０００６】
一方、特許文献１に開示の技術でも、チャンネル切替後、一定の時間の間は映像を楽しむことができないという問題がある。こうした問題を解決するための１つの方策が、後掲の特許文献２に開示されている。特許文献２に開示のデジタル放送受信装置は、２つのチューナを持ち、一方のチューナである放送局の放送を受信している間、他方のチューナで、別の放送のチャンネルの番組をバッファリングしておく。チャンネルの切替があってバッファリングされているチャンネルが選択された場合、バッファリングされている映像を直ちに出力する。したがってこの場合、画面が真っ暗になることは避けられる。ただし、チャンネル切替後、バッファリングされている放送局とは異なる放送局が選択された場合、やはりある時間の間は画面が表示されないという問題点は残る。
【特許文献１】特開２００６−５０５５３号公報
【特許文献２】特開２００６−６７５９９号公報
【発明の開示】
【発明が解決しようとする課題】
【０００７】
特許文献１に開示の装置では、チャンネルを切替えた後、メッセージが表示されるために、装置が故障したとユーザが誤解する恐れは少なくなる。しかし、目的となるチャンネルが表示されるまでの間、本来であれば楽しむことができたはずのテレビ放送を見逃してしまったという不満が生ずる。
【０００８】
一方、特許文献２に開示の装置では、ユーザが選択したチャンネルが装置の予測したチャンネルと一致した場合には直ちに映像の表示が行なわれるため、ユーザにとっては、チャンネル切替中の無駄な時間を解消することができる。しかし、装置の予測が外れた場合には、相変わらず映像が全く表示されないことになり、ユーザにとっては不満が生ずることになる。また、他のチャンネルを視聴している間に、見たい番組の一部を見逃してしまったという別の不満が生ずる。
【０００９】
また、いわゆるザッピングを行なっている場合には、このように一時的にせよ映像が表示されない場合、アナログ方式のテレビ受像機と比較してザッピングに時間がかかってしまうことになる。チャンネル数が多くなっている現在、このようにザッピングに時間がかかってしまうことは避けるべきである。
【００１０】
したがって本発明の目的は、切替先のチャンネルがどのようなものであろうとも、チャンネル切替後のある時間期間において、目的とするチャンネルの番組が表示されないことにより生ずるユーザの不満を緩和することができるデジタルテレビ放送の受信装置を提供することである。
【００１１】
この発明の他の目的は、チャンネルの切替時に、新たなチャンネルの放送内容について早期にユーザが知ることができ、それによって目的とするチャンネルの番組が表示されないことにより生ずるユーザの不満を緩和することができるデジタルテレビ放送の受信装置を提供することである。
【課題を解決するための手段】
【００１２】
本発明の第１の局面に係るデジタル放送受信装置は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、ユーザからチャンネル切替指示を受けたことに応答して、映像信号受信処理手段、及び映像処理手段を制御して、チャンネル切替指示により指示されるチャンネルのデジタル放送信号に含まれる映像信号を表示部に出力させるための制御手段とを含む。映像処理手段は、映像信号による映像画面を作成するための映像画面作成手段と、文字情報による文字情報画面を作成するための文字情報画面作成手段と、映像画面作成手段と文字情報画面作成手段とによりそれぞれ作成された映像画面と文字情報画面とのいずれかを、制御手段の出力信号に応じて表示部へ出力するための切替手段とを含む。制御手段は、ユーザからチャンネル切替指示を受けたことに応答して、映像信号受信処理手段に、チャンネル切替指示により指示されるチャンネルのデジタル放送信号に含まれる映像信号の復号及び文字情報の処理を開始させるための手段と、ユーザからチャンネル切替指示を受けたことに応答して、文字情報画面作成手段に、文字情報画面を作成させるための手段と、ユーザからチャンネル切替指示を受けたことに応答して、文字情報画面を表示部に出力させるよう切替手段に信号を与えるための手段と、映像処理手段が正常な映像信号を出力することが可能となったことに応答して、映像画面作成手段の出力する映像画面を、文字情報画面に代えて表示部に出力させるよう切替手段に信号を与えるための手段とを含む。
【００１３】
このデジタル放送受信装置において、映像信号受信処理手段は、指定されたチャンネルのデジタル放送信号に含まれる映像信号の復号と、文字情報を処理して出力する処理とを行なう。映像処理手段は、映像信号受信処理手段の出力する、映像信号及び文字情報により、それぞれ、映像画面及び文字情報画面を作成し、そのいずれかを表示部へ出力するための切替を行なう。制御手段は、ユーザからチャンネル切替指示を受けると、映像信号受信処理手段に、チャンネル切替時に指定されたチャンネルのデジタル放送信号に含まれる映像信号の復号と、文字情報の処理とを開始させる。制御手段はさらに、文字情報画面作成手段に、文字情報画面を作成させ、切替手段を制御して、作成された文字情報画面を表示部へ表示させる。加えて、映像信号処理手段による正常な映像信号の出力が可能になると、制御手段は、切替手段を制御して、映像画面作成手段により作成された映像画面を、文字情報画面に代えて表示させる。
【００１４】
ユーザによるチャンネル切替指示があると、新たなチャンネルの映像信号の出力が可能になるまでの間、文字情報が表示される。新たなチャンネルの正常な映像信号の出力が可能になると、その映像信号が表示部に表示される。ユーザは、チャンネル切替を行なった後、新たなチャンネルの映像信号による表示が行なわれるまでの間、文字情報による新しい情報を与えられる。これにより、チャンネル切替を行なった直後に画面が真っ黒になることが防止できる。これは、ユーザがこの期間、時間を無駄に過ごすことをも防ぐことができる。
【００１５】
加えて、ユーザがザッピングを行なっている場合、新たなチャンネルの映像表示を待つ時間が多く不満も増大するが、文字情報が提供されることによりこれを軽減することができる。
【００１６】
好ましくは、文字情報は、指定されたチャンネルが現在放送中の番組に関する情報、及び当該チャンネルが次に放送予定の番組に関する情報を含み、文字情報画面作成手段は、
現在放送中の番組に関する情報、または、次に放送予定の番組に関する情報、若しくはその組合せにより文字情報画面を作成するための番組情報画面作成手段を含む。
【００１７】
ユーザによるチャンネル切替指示があった後、新たなチャンネルの映像信号の出力が可能になるまでの間、指定されるチャンネルが現在放送中の番組に関する情報、及び、次に放送予定の番組情報、若しくはその組合せによる文字情報画面が表示される。
【００１８】
これにより、チャンネル切替の後、新たなチャンネルの映像画面が表示されるまでの間、ユーザは次に視聴するであろう番組に関する情報を早期に得ることができ、それによって目的とするチャンネルの番組が表示されないことにより生ずるユーザの不満を緩和することができる。
【００１９】
本発明の第２の局面に係るデジタル放送受信装置の制御方法は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、ユーザからチャンネル切替指示を受けたことに応答して、映像信号受信処理手段及び映像処理手段を制御して、チャンネル切替指示により指示されるチャンネルのデジタル放送信号に含まれる映像信号を表示部に出力させるための制御手段とを含むデジタル放送受信装置において、チャンネルを変更するための、デジタル放送受信装置の制御方法である。映像処理手段は、映像信号による映像画面を作成するための映像画面作成手段と、文字情報による文字情報画面を作成するための文字情報画面作成手段と、映像画面作成手段と文字情報画面作成手段とによりそれぞれ作成された映像画面と文字情報画面とのいずれかを、制御手段の出力信号に応じて表示部へ出力するための切替手段とを含む。この方法は、制御手段が、ユーザからチャンネル切替指示を受けたことに応答して、前記映像信号受信処理手段に、前記チャンネル切替指示により指示されるチャンネルのデジタル放送信号に含まれる映像信号の復号及び文字情報の処理を開始させるステップと、制御手段が、ユーザからチャンネル切替指示を受けたことに応答して、前記文字情報画面作成手段に、前記文字情報画面を作成させるステップと、制御手段が、ユーザからチャンネル切替指示を受けたことに応答して、前記文字情報画面を前記表示部に出力させるよう前記切替手段に信号を与えるステップと、制御手段が、前記映像処理手段が正常な映像信号を出力することが可能となったことに応答して、前記映像画面作成手段の出力する前記映像画面を、前記文字情報画面に代えて前記表示部に出力させるよう前記切替手段に信号を与えるステップとを含む。
【００２０】
ユーザによるチャンネル切替指示があると、新たなチャンネルの映像信号の出力が可能になるまでの間、文字情報が表示される。新たなチャンネルの正常な映像信号の出力が可能になると、その映像信号が表示部に表示される。ユーザは、チャンネル切替を行なった後、新たなチャンネルの映像信号による表示が行なわれるまでの間、文字情報による新しい情報を与えられる。これにより、チャンネル切替を行なった直後に画面が真っ黒になることが防止できる。これは、ユーザがこの期間、時間を無駄に過ごすことをも防ぐことができる。
【００２１】
本発明の第３の局面に係るコンピュータプログラムは、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び前記文字情報により表示画面を作成し出力するための映像処理手段と、ユーザからチャンネル切替指示を受けたことに応答して、映像信号受信処理手段及び映像処理手段を制御するためのコンピュータとを含むデジタル放送受信装置において、コンピュータにより実行されることによって、チャンネルを変更するための制御装置を実現するためのコンピュータプログラムである。映像処理手段は、映像信号による映像画面を作成するための映像画面作成手段と、文字情報による文字情報画面を作成するための文字情報画面作成手段と、映像画面作成手段と文字情報画面作成手段とによりそれぞれ作成された映像画面と文字情報画面とのいずれかを、制御手段の出力信号に応じて表示部へ出力するための切替手段とを含む。このコンピュータプログラムは、コンピュータを、ユーザからチャンネル切替指示を受けたことに応答して、映像信号受信処理手段に、チャンネル切替指示により指示されるチャンネルのデジタル放送信号に含まれる映像信号の復号及び文字情報の処理を開始させるための手段と、ユーザからチャンネル切替指示を受けたことに応答して、文字情報画面作成手段に、文字情報画面を作成させるための手段と、ユーザからチャンネル切替指示を受けたことに応答して、文字情報画面を表示部に出力させるよう切替手段に信号を与えるための手段と、映像処理手段が正常な映像信号を出力することが可能となったことに応答して、映像画面作成手段の出力する映像画面を、文字情報画面に代えて表示部に出力させるよう切替手段に信号を与えるための手段として機能させる。
【００２２】
ユーザによるチャンネル切替指示があると、新たなチャンネルの映像信号の出力が可能になるまでの間、文字情報が表示される。新たなチャンネルの正常な映像信号の出力が可能になると、その映像信号が表示部に表示される。ユーザは、チャンネル切替を行なった後、新たなチャンネルの映像信号による表示が行なわれるまでの間、文字情報による新しい情報を与えられる。これにより、チャンネル切替を行なった直後に画面が真っ黒になることが防止できる。これは、ユーザがこの期間、時間を無駄に過ごすことをも防ぐことができる。
【発明の効果】
【００２３】
以上のように本発明によれば、表示中のチャンネルから他のチャンネルに切替えるようユーザの指示があった場合、切替先のチャンネルの映像信号の表示が可能になるまでの間、文字情報が表示される。その結果、画面が完全に真っ暗になってしまうことがなくなり、ユーザは、全く映像が見られないという不満を解消することができ、さらに、チャンネル切替時の時間を利用して、新たなチャンネルの番組に関する有益な情報を得ることが可能になる。
【００２４】
また、ユーザがザッピングを行なっている場合、新たなチャンネルの映像表示を待つ時間が増大し不満を感じるが、文字情報が提供されることによりこれを軽減することができる。
【００２５】
加えて、新たなチャンネルの映像表示を待つ間、その時点においてそのチャンネルで放送されている番組に関する情報、及び次に放送予定の番組に関する情報により作成された文字情報画面を表示することにより、ユーザは次に視聴するであろう番組に関する情報を早期に得ることができ、それによって目的とするチャンネルの番組が表示されないことにより生ずるユーザの不満を緩和することができる。
【発明を実施するための最良の形態】
【００２６】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００２７】
図１に、従来の技術によるチャンネル切替操作と映像表示のシーケンス２０との関係を示す。図１を参照して、最初にユーザが第１チャンネル（ＣＨ１）を視聴しており、映像３０が表示されていたものとする。あるタイミングでユーザがチューナに対して第２チャンネル（ＣＨ２）を選択したものとする。アナログテレビ放送の場合であれば、この操作に応じて直ちに第２チャンネルの映像３４が画面に表示される。しかしデジタルテレビ放送の場合には、チャンネル切替後直ちに第２チャンネルの映像３４が表示されることはなく、ある時間の間真っ黒な画面３２が表示される。この間は、前述したように第２チャンネルの映像信号を受信し、正常なデコード（復号）が開始されるまでの時間期間であり、放送されるデジタル放送信号の符号化方式と、チャンネル切替の指示のタイミングとに主に依存してその長さが変化する。
【００２８】
［第１の実施の形態］
図２に、以下に説明する本願発明の第１の実施の形態に係るデジタルテレビ放送受信装置におけるチャンネル切替の際の表示映像シーケンス５０を示す。ユーザが第１チャンネルの映像６０を最初に見ているものとする。この映像はチューナにより受信され、デコードされたものである。あるタイミングでユーザがチャンネルを第２チャンネルに切替える指示を出したものとする。この場合、チューナによる第２チャンネルの信号受信とデコードが終わり、その映像６４が表示されるまでの期間の長さは、図１に示される従来の場合と基本的には同一である。しかし本実施の形態では、チャンネル切替の指示があったことに応答して、その時点から映像６４が表示されるまでの期間７０に応じて、図１のように真っ暗な画面３２を表示する代わりに、指示チャンネルで放映中の番組に関する文字情報６２を表示する点に特徴がある。これにより、第２チャンネルの映像が表示されるまでの間、第２チャンネルの番組情報を見ることができるため、ユーザは映像表示までの無駄な待ち時間を感じることがないという効果がある。
【００２９】
−構成−
図３に、本発明の第１の実施の形態に係るデジタルテレビ放送受信装置８０の構成をブロック図形式で示す。図３を参照して、デジタルテレビ放送受信装置８０は、デジタルテレビ放送信号を受信するアンテナ端子９０と、リモートコントローラ（以下「リモコン」と呼ぶ。）１１４等から与えられたチャンネル選局信号により指定されたチャンネルのデジタル放送信号を選局して出力するためのデジタルテレビ放送受信処理ブロック９２（以下「受信処理ブロック９２」と呼ぶ。）と、受信処理ブロック９２に接続され、所定の契約を締結した受信者のみが視聴可能な映像信号（限定受信信号）のデコードに必要な限定受信認証鍵を格納する限定受信認証鍵格納部９４とを含む。限定受信信号とは、例えば有料テレビ放送など、スクランブルした信号であって、限定受信認証鍵を持つ受信装置のみがスクランブルを解除することができるような信号のことをいう。
【００３０】
デジタルテレビ放送受信装置８０はさらに、受信処理ブロック９２の出力する受信信号を受けるように接続され、与えられた受信信号を処理して映像出力信号を出力する映像処理部９６と、映像処理部９６の出力する映像出力信号を受けるように接続され、その映像を表示するための表示部１００と、受信処理ブロック９２の出力する受信信号を受けるように接続され、受信信号を処理して音声出力信号を出力する音声処理部９８と、音声処理部９８からの音声出力信号を受けて音声に変換するための音声出力部１０２とを含む。
【００３１】
デジタルテレビ放送受信装置８０はさらに、受信処理ブロック９２、映像処理部９６、及び音声処理部９８を含む複数の入出力先の間での双方向の信号の伝送を行なうためのバス１０３と、バス１０３に接続され、図２に示されるようなチャンネル切替時の文字情報表示を実現するための所定のプログラム、及びその他の制御を行なうためのプログラムをを実行する、ＣＰＵ（中央演算処理装置）からなる中央処理部１０４と、バス１０３に接続され、中央処理部１０４が実行するプログラム及び中央処理部１０４がプログラム実行の際に使用する作業変数等を当該処理時に一時的に記憶するための主記憶部１０６と、バス１０３に接続され、中央処理部１０４が実行するプログラム及びその他の情報を格納し、中央処理部１０４の制御に従って、必要な情報を必要なときに主記憶部１０６等の他の処理ブロックに出力し、他のブロックからの出力を格納するための、不揮発性の記憶装置からなる補助記憶部１０８と、バス１０３に接続され、時刻情報を出力する時計１１０と、バス１０３に接続され、リモコン１１４等からのチャンネル選択指示等の赤外線信号を受光し、中央処理部１０４に対しチャンネル切替コード等の制御コードとして与えるためのユーザ入力受付部１１２と、ユーザ入力受付部１１２に接続され、ユーザからの指示をユーザ入力部１１２に与えるための操作パネル１１６とを含む。
【００３２】
なお、映像処理部９６の行なう処理は、図３に示すように、チャンネルの選択などの表示選択処理、映像及び文字情報の表示を合成するための映像／文字表示合成処理、映像を含まず、文字情報のみからなる画面を作成するための文字表示画面作成処理、インターレース方式の映像表示装置向けに作成された映像信号をプログレッシブ方式の装置向けの映像信号に変換するための映像ＩＰ変換処理、低解像度の映像を拡大表示したときの映像の劣化を防ぐスケーリング処理、デコードした映像を一時蓄積してタイムシフト再生などを可能にするための映像一時蓄積処理、受信した信号中の文字情報を蓄積する文字情報蓄積処理、及び映像に対し種々の加工をするためのイフェクト処理等を含む。
【００３３】
同様に、音声処理部９８の行なう処理は、図３に示すように、チャンネルの選択などの音声選択処理、日本語と英語等複数の音声をユーザが選択した場合に音声を合成するための音声合成処理、ユーザからの指示により音量を制御する音量制御、及び音声に対し種々の加工をするためのイフェクト処理等を含む。
【００３４】
図４に受信処理ブロック９２の構成図を示す。図４を参照して、受信処理ブロック９２は、アンテナ端子９０により受信されたデジタルテレビ放送信号を受けるように接続され、バス１０３を介して中央処理部１０４から与えられたチャンネル選局信号により指定されたチャンネルのデジタル放送信号を選局して出力するためのデジタル放送フロントエンド処理部チューナ（以下「チューナ」と呼ぶ。）１２０と、チューナ１２０に接続され、チューナ１２０で受信した信号を復調するための復調部１２２と、復調部１２２に接続され、復調部１２２で復調された信号を情報の種類によって分離する多重信号分離部１２４とを含む。
【００３５】
多重信号分離部１２４により分離される信号の種類としては、番組特定情報及びサービス情報パケット、映像信号パケット、及び音声信号パケットがある。番組特定情報及びサービス情報パケットにより伝送される情報のうち、番組特定情報は、番組を選択するために必要な技術的情報を含む。サービス情報は、番組表、文字情報、及び限定受信情報を含む。文字情報は、いずれも後述するチャンネル情報、「現在放送中の番組」情報、「次に放送予定の番組」情報、及び「番組内のローカルイベント」情報を含む。限定受信情報は、映像信号パケットや音声信号パケットが限定受信情報であった場合、それを示す情報であり、その暗号を解除するために必要な情報である。
【００３６】
受信処理ブロック９２はさらに、多重信号分離部１２４に接続され、多重信号分離部１２４の出力のうち、番組特定情報及びサービス情報を受け、各情報に対してそれぞれ所定の処理を行なうための番組特定情報・サービス情報処理部１２６を含む。
【００３７】
番組特定情報・サービス情報処理部１２６により実行される処理は、チャンネル情報、「現在放送中の番組」情報、「次に放送予定の番組」情報、及び「番組内のローカルイベント」情報を、その目的に応じて処理し映像処理部９６または中央処理部１０４へ出力する処理を含む。
【００３８】
図２のシーケンスを例として挙げ、サービス情報の詳細を説明する。図２を参照して、チャンネル情報は、画面６２に示された、チャンネル番号“ＣＨ２”及び放送局名“××テレビ”を含む。「現在放送中の番組」情報とは、画面６２に示された“スポーツ『バレーボール○○対△△』”であるが、番組ジャンル情報（ここでは“スポーツ”）及び番組終了時刻等のその他の関連情報も含む。「次に放送予定の番組」情報は、「現在放送中の番組」情報と同様の、次に放送予定の番組に関連する情報である。この情報は、図２に示すチャンネル切替時には放映されていないが、その情報を取得し伝送することができる。「番組内のローカルイベント」情報は、「現在放送中の番組」の進行状況を示すものである。この情報は、番組開始直後には“オープニング”、終了前後には“エンディング”、ＣＭ放映中には“ＣＭ”のような内容となる。なお、番組放映中、「番組内のローカルイベント」情報は空である。
【００３９】
番組特定情報・サービス情報処理部１２６により実行される処理は、さらに、番組特定情報及びサービス情報パケットにより伝送される限定受信情報を処理し、映像信号暗号解除処理部１２８及び音声信号暗号解除処理部１３０へ出力する処理を含む。
【００４０】
受信処理ブロック９２はさらに、多重信号分離部１２４、番組特定情報・サービス情報処理部１２６、及び限定受信認証鍵格納部９４に接続され、多重信号分離部１２４の出力する映像信号パケットと、番組特定情報・サービス情報処理部１２６の出力する限定受信情報と、限定受信認証鍵格納部９４の出力する限定受信認証鍵とを受け、受信された映像信号パケットが限定受信信号であるときには限定受信認証鍵を用いてその暗号を解除して出力し、それ以外のときには映像信号パケットをそのまま出力するための映像信号暗号解除処理部１２８と、多重信号分離部１２４の出力する音声信号パケットと、番組特定情報・サービス情報処理部１２６の出力する限定受信情報と、限定受信認証鍵格納部９４からの限定受信認証鍵とを受けるように接続され、受信された音声信号パケットが限定受信信号であるときには限定受信認証鍵を用いてその暗号を解除して出力し、それ以外のときには単に音声信号パケットを出力するための音声信号暗号解除処理部１３０と、映像信号暗号解除処理部１２８の出力を受けるよう接続され、その出力信号から映像信号を復号して映像処理部９６に与える映像信号復号部１３２と、音声信号暗号解除処理部１３０の出力を受けるよう接続され、その出力信号から音声信号を復号して音声処理部９８に与える音声信号復号部１３４とを含む。なお、以下の説明では、受信された映像信号はすべて限定受信信号であるものとし、そのデコードに必要な限定受信認証鍵はすべて限定受信認証鍵格納部９４に格納されているものとする。
【００４１】
図５及び図６は、図３に示す中央処理部１０４により実行されるチャンネルメイン制御プログラムを示す。
【００４２】
図５を参照して、中央処理部１０４が実行するプログラムは、図３に示すリモコン１１４及び操作パネル１１６によるユーザのチャンネル切替操作をユーザ入力受付部１１２が受信したか否かを判定し、判定結果に応じて制御の流れを分岐させるステップ１４０と、ステップ１４０においてユーザによるチャンネル切替操作があると判定されたことに応答して実行され、指示されたチャンネルが現在表示している番組と異なるチャンネルか否かを判定し、判定結果に応じて制御の流れを分岐させるステップ１４２と、ステップ１４２において、指示チャンネルが現在表示している番組と異なるチャンネルであると判定されたことに応答して実行され、映像処理部９６に対して表示部１００への出力停止を指示するステップ１４４と、ステップ１４４の後に実行され、受信処理ブロック９２に対しチャンネル切替処理を指示するステップ１４６とを含む。なお、ステップ１４２において、指示チャンネルが現在表示している番組と異なるチャンネルではないと判定された場合、処理はステップ１４０へ戻る。また、ステップ１４０においてユーザのチャンネル切換操作がないと判定された場合、制御は図６に示すステップ１６６に進む。
【００４３】
このプログラムはさらに、ステップ１４６の後に実行され、限定受信認証鍵格納部９４に、表示に必要な限定受信鍵が格納されているか否かを判定し、判定結果に応じて制御の流れを分岐させるステップ１４８と、ステップ１４８において表示に必要な限定受信鍵が格納されていると判定されたことに応答して実行され、映像処理部９６に、文字情報である番組情報画面を作成するための処理を実行させるステップ１５０と、ステップ１５０の後に実行され、表示部１００へ番組情報画面を出力するよう映像処理部９６を制御するステップ１５２と、ステップ１５２の後、この番組情報画面を表示するよう表示部１００を制御するステップ１５４とを含む。
【００４４】
このプログラムはさらに、ステップ１５４の後に実行され、指示チャンネルの復号済み映像信号について、その誤り率（ビットエラーレート）は基準値内か否かを判定し、基準値内になるまで待機するステップ１５６と、ステップ１５６において誤り率が基準値内であると判定されたことに応答して、映像処理部９６に対し表示部１００へ指示チャンネルの復号済み映像信号を出力するよう指示する処理を行うステップ１５８と、ステップ１５８の後に実行され、表示部１００に指示チャンネルの復号済み映像信号を表示させるステップ１６０とを含む。ステップ１６０の後、処理を終了する。
【００４５】
このプログラムはさらに、ステップ１４８において、表示に必要な限定受信鍵が格納されていないと判定されたことに応答して実行され、映像処理部９６を制御し表示部１００へ「限定受信鍵がない」という主旨の文字情報を出力させるステップ１６２と、ステップ１６２の後、表示部１００に対しこの文字情報画面を表示させるステップ１６４とを含む。ステップ１６４の後、処理を終了する。
【００４６】
図６を参照して、このプログラムはさらに、ステップ１４０において、ユーザチャンネル切替操作がないと判定されたことに応答して実行され、番組情報画面の作成を行なうよう映像処理部９６を制御するステップ１６６と、ステップ１６６の後、現在受信中のチャンネルの信号のうち、「番組内のローカルイベント」情報を取得するステップ１６８と、補助記憶部１０８にあらかじめ格納されていた、図７に示す「『番組内のローカルイベント』情報と『表示レイアウト』情報の対応テーブル」１９０を取得した後、このテーブル１９０と、ステップ１６８にて取得した「番組内のローカルイベント情報」とより、その「番組内のローカルイベント情報」に対応する「表示レイアウト」情報を取得するステップ１７０と、その後、その「表示レイアウト」情報を中央処理部１０４から取得するよう映像処理部９６に指示するステップ１７２と、その後、取得された「表示レイアウト」情報に基づき番組情報画面と放送映像信号画面を合成するよう映像処理部９６を制御するステップ１７４と、その合成された信号を表示部１００へ出力するよう映像処理部９６を制御するステップ１７６と、その出力された合成画面信号を表示するよう表示部１００を制御するステップ１７８とを含む。ステップ１７８の後、処理は図５に示すステップ１４０へ戻る。
【００４７】
なお、このプログラムを実行した場合、中央処理部１０４は、電源投入直後には初期設定のチャンネルを選択するように受信処理ブロック９２を制御するものとする。
【００４８】
図７を参照して、「『番組内のローカルイベント』情報と『表示レイアウト』情報の対応テーブル」１９０を補助記憶部１０８にあらかじめ格納する。これは『番組内のローカルイベント』情報の違いにより表示部１００に表示するレイアウトを変更させるための情報である。
【００４９】
図８は、図５に示すステップ１４６で実行されるチャンネル切替処理の詳細を示すフローチャートである。図８を参照して、この処理は、ステップ１４０において受信したチャンネル切替コードによって指示されたチャンネルの信号を選択させるために、図４に示すチューナ１２０の周波数設定を変更するステップ２００と、ステップ２００の後、チューナ１２０を新周波数と同調させるステップ２０２と、ステップ２０２の後、チューナにより受信された信号を復調部１２２に入力しその信号を復調させるステップ２０４と、その復調された信号を情報の種類によって分離するよう多重信号分離部１２４を制御するステップ２０６と、その信号分離ができるか否かを判定するステップ２０８とを含む。ステップ２０８において、信号分離できると判定された場合、処理は次のステップへ進み、一方で、信号分離できないと判定された場合、処理はステップ２０６へ戻る。
【００５０】
チャンネル切替処理は更に、ステップ２０８の判定がＹＥＳの場合に実行され、多重信号分離部１２４を制御し分離された信号をその種類によってそれぞれ、映像処理部９６、音声処理部９８、及び番組特定情報・サービス情報処理部１２６へ出力するステップ２１０と、ステップ２１０の後、限定受信認証鍵格納部９４に表示に必要な限定受信鍵が格納されているか否かを判定するステップ２１２と、ステップ２１２において、表示に必要な限定受信認証鍵が格納されていると判定されたことに応答して実行され、映像信号暗号解除処理部１２８に対し、限定受信認証鍵格納部９４からの出力である限定受信認証鍵、多重信号分離部１２４からの出力である映像信号パケット、及び番組特定情報・サービス情報処理部１２６からの出力である限定受信情報を与え、限定受信認証鍵により映像信号パケットの暗号を解除させる処理と、音声信号暗号解除処理部１３０に対し、限定受信認証鍵格納部９４からの出力である限定受信認証鍵、多重信号分離部１２４からの出力である音声信号パケット、及び番組特定情報・サービス情報処理部１２６からの出力である限定受信情報を与え、限定受信認証鍵により音声信号パケットの暗号を解除させる処理とを行なうステップ２１４と、ステップ２１４の後、映像信号暗号解除処理部１２８及び音声信号暗号解除処理部１３０を制御し、暗号解除済みの映像及び音声信号を、映像信号復号部１３２及び音声信号復号部１３４へそれぞれ出力させるステップ２１６と、ステップ２１６の後、映像信号復号部１３２及び音声信号復号部１３４に入力された映像信号及び音声信号を復号させるステップ２１８と、ステップ２１８の後、映像信号復号部１３２及び音声信号復号部１３４に対し、復号済みの映像信号及び音声信号を、それぞれ、映像処理部９６及び音声処理部９８へ出力させるステップ２２０とを含む。ステップ２２０の後、処理を終了する。
【００５１】
チャンネル切替処理はさらに、ステップ２１２において、限定受信認証鍵格納部９４に表示に必要な限定格納鍵が格納されていないと判定されたことに応答して実行され、映像信号暗号解除処理部１２８及び音声信号暗号解除処理部１３０に対し、それぞれ、映像信号及び音声信号を、映像信号復号部１３２及び音声信号復号部１３４への出力を停止させるステップ２２２と、映像信号復号部１３２及び音声信号復号部１３４に対し、映像処理部９６及び音声処理部９８への出力を停止させ、表示部１００に黒画面を表示させるステップ２２４とを含む。ステップ２２４の後、処理を終了する。
【００５２】
図９は、図３に示す映像処理部９６において実行され、図５に示すステップ１５０、及び図６に示すステップ１６６において起動される、番組情報画面作成処理の詳細を示したものであり、番組情報として「現在放送中の番組」情報を採用した、「現在放送中の番組」情報の表示画面作成処理のフローチャートである。図９を参照して、このプログラムは、受信しているチャンネル信号の中から、チャンネル情報、すなわち、チャンネル番号、チャンネル番号毎に割り当てられた３桁の番号（以下「３桁の番号」と呼ぶ。）、及び放送局名を取得するステップ２４０と、ステップ２４０の後、受信しているチャンネルの信号のうち、「現在放送中の番組」情報を取得するステップ２４２と、ステップ２４０において得たチャンネル情報と、ステップ２４２において得た現在放送中の番組情報とにより、文字情報である番組情報画面を作成するステップ２４４とを含む。ステップ２４４の後、この処理を終了する。
【００５３】
−動作−
以上に構成を説明したこのデジタル放送受信装置８０は、以下のように動作する。図３を参照して、デジタルテレビ放送受信装置８０の電源が投入されると、図４に示すチューナ１２０は初期設定により設定されたチャンネルの信号の受信を開始する。
【００５４】
以下、図２に示すチャンネル切替操作を仮定し、図３を参照して受信処理ブロック９２、限定受信認証鍵格納部９４、映像処理部９６、音声処理部９８、表示部１００、音声出力部１０２、中央処理部１０４及びユーザ入力受付部１１２の動作について説明する。ユーザが、第１チャンネルの番組６０を視聴した後、図３に示すリモコン１１４を介して第２チャンネルへのチャンネル切替操作を行なったものとする。チャンネル切替操作を示す赤外線信号はユーザ入力受付部１１２により受信され、受信信号が中央処理部１０４に与えられる。チャンネル切換操作があったので、図５のステップ１４０の判定結果はＹＥＳとなる。その結果ステップ１４２の処理が実行される。
【００５５】
ステップ１４２では、ユーザにより指示されたチャンネルが現在表示しているチャンネルと異なるか否かが判定される。ここでは判定結果はＹＥＳとなる。制御はステップ１４４に進み、映像処理部９６から表示部１００への出力が停止される。ステップ１４６において、チャンネル切替処理が実行される。
【００５６】
図８を参照して、チャンネル切換処理のステップ２００において、第２チャンネルを受信するように図４に示すチューナ１２０に周波数設定を変更させる。ステップ２０２では、チューナ１２０の新周波数での受信の同調を待ち、その後ステップ２０４において、チューナ１２０の信号を復調部１２２に与えて復調させる。ステップ２０６において、多重信号分離部１２４を制御し、受信した信号パケットをその種類により分離させる。ステップ２０８において、信号分離が可能か否かを判定する。ここでは、判定結果がＹＥＳとなったものとする。制御はステップ２１０へ進み、多重信号分離部１２４において分離された番組特定情報・サービス情報パケット、映像信号パケット、及び音声信号は、それぞれ番組特定情報・サービス情報処理部１２６、映像信号暗号解除処理部１２８、及び音声信号暗号解除処理部１３０に出力される。制御はステップ２１２へ進む。
【００５７】
ステップ２１２では、表示に必要な限定受信鍵が格納されているか否かが判定される。前述のように、本実施の形態では、限定受信鍵はすべて予め入手されているものとする。その結果、ステップ２１２における判定はＹＥＳとなり、制御はステップ２１４に進む。ステップ２１４では、映像信号、及び音声信号の暗号解除を、それぞれ、映像信号暗号解除処理部１２８、及び音声信号暗号解除処理部１３０において実行する。その後、ステップ２１６へ進み、暗号が解除された映像信号、及び音声信号は、それぞれ、映像信号復号部１３２、及び音声信号復号部１３４へ出力され、ステップ２１８において復号される。その後、ステップ２２０では、復号済みの映像信号及び音声信号が、それぞれ、映像処理部９６、及び、音声処理部９８へ出力される。以上でチャンネル切換処理は終了する。
【００５８】
再び図５を参照して、制御はステップ１４８へ進み、表示に必要な限定受信鍵が格納されているか否かが判定される。ここでの判定結果はＹＥＳとなり、ステップ１５０へ進む。ステップ１５０では、番組情報画面作成処理が以下のように実行される。
【００５９】
図９を参照して、ステップ２４０では、切替先のチャンネル（第２チャンネル）の情報を取得する。ステップ２４２では映像処理部９６が映像信号から第２チャンネルで現在放送中の番組の情報を取得し、ステップ２４４において、第２チャンネルの情報と、第２チャンネルで現在放送中の番組の情報とにより番組情報画面を作成する。ここでステップ１５０の処理を終わる。
【００６０】
再び図５を参照して、ステップ１５２へ進み、ステップ１５０で作成された番組情報画面が、映像処理部９６から表示部１００へ出力され、ステップ１５４でこの番組情報画面が表示部１００により表示される。その後、ステップ１５６で、映像処理部９６に入力される復号済み映像信号の誤り率が基準値内か否かを判定し、基準値内になるまで待機する。基準値内に到達したところで判定はＹＥＳとなりステップ１５８へ進み、映像処理部９６から表示部１００へ復号済み映像信号が出力される。次に、ステップ１６０で、表示部１００により復号済みの映像信号が表示され、この処理を終了する。
【００６１】
図１０に、ある時間帯でのあるチャンネル（ここでは、それぞれ２０：００〜２１：００、及び第２チャンネル）の放送信号に含まれる、映像信号２８０、「現在放送中の番組」情報を含む「現在放送番組」情報信号２８２、「次に放送予定の番組」情報を含む「次放送番組」情報信号２８４、及び、「番組内のローカルイベント」情報を含む「番組内のローカルイベント」情報信号２８６とについて、それぞれの信号の経時変化と、当該時間帯にユーザがチャンネル切替指示を行なった場合の番組情報画面２９０との関係を示す。ユーザが２０：００〜２０：５４の間に、第１チャンネルから第２チャンネルへの切替操作を行なった場合、切替先チャンネル情報である、チャンネル番号“２”、及び放送局名“××テレビ”と、「現在放送番組」情報信号２８２により得た「現在放送中の番組」情報“スポーツ『バレーボール○○対××』”とを合成し作成された画面２９０が表示される。
【００６２】
以上のように本実施の形態に係るデジタルテレビ放送受信装置８０によれば、表示中のチャンネルから他のチャンネルに切替えるようユーザの指示があった場合、切替先のチャンネルの映像信号の表示が可能になるまでの間、文字情報、すなわち、切替先のチャンネルと、その時点においてそのチャンネルで放送されている番組の情報が表示される。その結果、画面が完全に真っ暗になってしまうことがなくなり、ユーザは、全く映像が見られないという不満を解消することができ、さらに、チャンネル切替時の時間を有効利用して、次に視聴する番組の情報という、有益な情報を得ることが可能になる。
【００６３】
以下の実施の形態では、作成される番組情報画面の態様を除き、その動作及び効果が本実施の形態と同様であるので、同一部分についてはその説明をしない。
【００６４】
また、以下の実施の形態における番組情報画面には、本実施の形態と同様にチャンネル情報が含まれるため、以後これについての詳細な説明をしない。
【００６５】
［第２の実施の形態］
−構成−
第１の実施の形態において、表示される番組情報画面は、その時点においてそのチャンネルで放送されている番組の情報で構成されていた。本実施の形態では現在放送中の番組情報の代りに、次に放映される番組の情報を表示する。なお、以下の実施の形態では、図５に示すステップ１５０及び図６に示すステップ１６６の詳細を除き、その構成及び動作は第１の実施の形態と同一である。したがって、それらについての説明は省略する。
【００６６】
図１１は、図５に示すステップ１５０、及び図６に示すステップ１６６において起動される、「次に放送予定の番組」情報の表示画面作成処理のフローチャートである。図１１を参照して、図９に示すステップ２４０、ステップ２４２、及びステップ２４４と同様の処理を、それぞれ、ステップ２４０、ステップ３０２、及びステップ３０４で行なうが、ステップ２４２及びステップ２４４で扱う「現在放送中の番組」情報に代えて、ステップ３０２及びステップ３０４では「次に放送予定の番組」情報を用いる。ステップ３０４の後、処理を終了する。
【００６７】
−動作−
図１２に、図１０と同様に、それぞれの放送信号の経時変化と、当該時間帯にユーザがチャンネル切替指示を行なった場合の番組情報画面３２０との関係を示す。ユーザが２０：００〜２０：５４の間に、第２チャンネルへの切替操作を行なった場合、切替先チャンネル情報と、「次放送番組」情報信号２８４より取得した「次に放送予定の番組」情報“ニュース  □□□ニュース”とを合成し作成された画面３２０が表示される。
【００６８】
［第３の実施の形態］
−構成−
本実施の形態では、表示される番組情報画面として、第１及び第２の実施の形態において使用していた放映番組の情報の代わりに、番組内のローカルイベント情報を表示する。
【００６９】
図１３は、図５に示すステップ１５０、及び図６に示すステップ１６６において起動される、「番組内のローカルイベント」情報の表示画面作成処理のフローチャートである。図１３を参照して、図９に示すステップ２４０、ステップ２４２、及びステップ２４４と同様の処理を、それぞれ、ステップ２４０、ステップ３３２、及びステップ３３４で行なう。ただし、ステップ２４２及びステップ２４４で扱う「現在放送中の番組」情報に代えて、ステップ３０２及びステップ３０４では「番組内のローカルイベント」情報を用いる。ステップ３０４の後、処理を終了する。
【００７０】
−動作−
図１４に、図１０と同様に、それぞれの放送信号の経時変化と、当該時間帯にユーザがチャンネル切替指示を行なった場合の番組情報画面３５０、画面３５２、画面３５４、及び画面３５６との関係を示す。本実施の形態では、切替先チャンネル情報と、「番組内のローカルイベント」情報信号２８６により取得した「番組内のローカルイベント」情報とを合成し作成された画面が表示される。例えば、番組のオープニングの間にユーザが第２チャンネルへの切替操作を行なうと、「番組内のローカルイベント」情報“オープニング”を含む画面３５０が表示される。これと同様に、チャンネル切替時に切替先チャンネルがＣＭ中の場合は画面３５２に示すように“ＣＭ中”、エンディングの場合は画面３５４に示すように“エンディング”と表示される。もし、番組放送中で、「番組内のローカルイベント情報」が空の場合は、画面３５６のようにチャンネル情報のみを表示する。
【００７１】
［第４の実施の形態］
−構成−
第１、第２及び第３の実施の形態では、表示される番組情報画面は、そのチャンネルでの放映番組に関する情報（「現在放送中の番組」情報、「次に放送予定の番組」情報、及び「番組内のローカルイベント」情報）のうちのいずれか１つの情報で作成されていたが、本実施の形態では、現在放送中の番組情報と、次に放送予定の番組情報との、２つの異なる放映番組情報を表示する。
【００７２】
図１５は、図５に示すステップ１５０、及び図６に示すステップ１６６において起動される、「現在放送中の番組」情報と「次に放送予定の番組」情報の表示画面作成処理のフローチャートである。図１５を参照して、図９に示すステップ２４０、ステップ２４２、及びステップ２４４と同様の処理を、それぞれ、ステップ２４０、ステップ３６２、及びステップ３６４で行なう。ただし、ステップ２４２及びステップ２４４で扱うで扱う番組情報に加えて、ステップ３６２及びステップ３６４では、さらに「次に放送予定の番組」情報を用いる。ステップ３６４の後、処理を終了する。
【００７３】
−変形例１−
本実施の形態においては、放映番組に関する情報を、「現在放送中の番組」情報と、「番組内のローカルイベント」情報とにしてもよい。
【００７４】
図１６に本変形例の表示画面作成処理のフローチャートを示す。図１６を参照して、図１５に示すステップ２４０、ステップ３６２及びステップ３６４と同様の処理を、それぞれ、ステップ２４０、ステップ３７２及びステップ３７４で行なう。ただし、ステップ３６２及びステップ３６４で扱う「次に放送予定の番組」情報に代えて、ステップ３７２及びステップ３７４では「番組内のローカルイベント」情報を用いる。
【００７５】
−変形例２−
本実施の形態においては、放映番組に関する情報を、「現在放送中の番組」情報と、「次に放送予定の番組」情報と、「番組内のローカルイベント」情報とにしてもよい。
【００７６】
図１７に本変形例の表示画面作成処理のフローチャートを示す。図１７を参照して、図１５に示すステップ２４０、ステップ３６２及びステップ３６４と同様の処理を、それぞれ、ステップ２４０、ステップ３８２及びステップ３８４で行なう。ただし、ステップ３６２及びステップ３６４で扱う番組情報に加え、ステップ３８２及びステップ３８４では、さらに「番組内のローカルイベント」情報を用いる。
【００７７】
−変形例３−
本実施の形態においては、放映番組に関する情報を、「次に放送予定の番組」情報と、「番組内のローカルイベント」情報とにしてもよい。
【００７８】
図１８に本変形例の表示画面作成処理のフローチャートを示す。図１８を参照して、図１５に示すステップ２４０、ステップ３６２及びステップ３６４と同様の処理を、それぞれ、ステップ２４０、ステップ３９２及びステップ３９４で行なう。ただし、ステップ３６２及びステップ３６４で扱う「現在放送中の番組」情報に代えて、ステップ３９２及びステップ３９４では「番組内のローカルイベント」情報を用いる。
【００７９】
−動作−
図１９に、図１０と同様に、本実施の形態に係る、それぞれの放送信号の経時変化と、当該時間帯にユーザがチャンネル切替指示を行なった場合の番組情報画面４００、画面４１０、画面４２０、及び画面４３０との関係を示す。本実施の形態では、チャンネル切替時、切替先チャンネルの情報と、「現在放送中の番組」情報と、「次に放送予定の番組」情報とにより作成された画面４００が表示される。しかし、変形例１のように、番組情報として、「現在放送中の番組」情報と、「番組内のローカルイベント」情報とを採用して画面４１０を表示してもよい。また、変形例２のように、番組情報として、画面４００に「番組のローカルイベント」情報を加えた、画面４２０を表示することもできる。さらに、変形例３に従い、画面４００の「現在放送中の番組」情報の代りに「番組のローカルイベント」情報を表示した画面４３０を作成してもよい。
【００８０】
本実施の形態では、第１、第２及び第３の実施の形態に比べ、同じ時間内により多くの情報をユーザに供給することが可能である。
【００８１】
［第５の実施の形態］
−構成−
第３の実施の形態における番組情報表示画面は、番組が放映中の際、番組情報画面に含まれる「番組のローカルイベント」情報が無いので、チャンネル情報以外に何もない。チャンネル情報のみでは、ユーザはその番組の現在の状況がわからないという問題がある。本実施の形態は、これを解決し、「番組のローカルイベント」情報が空のときには、番組が放映中である旨の文字情報を作製し表示する。
【００８２】
図２０は、図５に示すステップ１５０、及び図６に示すステップ１６６において起動される番組情報表示画面作成処理に対応する、本実施の形態における番組情報表示画面作成処理のフローチャートである。この処理は、図２０を参照して、図９に示し前述したステップ２４０と、ステップ２４０の後、映像処理部９６及び中央処理部１０４により、「現在放送中の番組」情報と、「番組内のローカルイベント」情報とを取得させることを決定するステップ４４２と、その後、「番組内のローカルイベント」情報が空、すなわち、当該番組が放映中か否かを判定するステップ４４４とを含む。
【００８３】
本処理はさらに、ステップ４４４において「番組内のローカルイベント」情報が空であると判定されたことに応答して実行され、補助記憶部１０８に予め格納された、図２１に示す「データがないときのローカルイベント」テーブル４６０を取得するステップ４４６と、ステップ４４６の後に、「現在放送中の番組」情報内の「番組ジャンル」情報を取得するステップ４４８と、ステップ４４８の後に実行され、取得した「番組ジャンル」情報及び「データがないときのローカルイベント」テーブル４６０より、現在放映中の番組の「番組ジャンル」に対応する「番組内のローカルイベント」情報を取得するステップ４５０と、取得した「番組内のローカルイベント」情報を映像処理部９６へ出力するステップ４５２とを含む。
【００８４】
図２１を参照して、テーブル４６０は、補助記憶部１０８に予め格納された、「番組内のローカルイベント」情報が空のときのローカルイベントテーブルである。ある時点において、番組が放映中であれば、その番組の「番組内のローカルイベント」情報は無い。テーブル４６０は、図２０に示すステップ４４６及びステップ４５０を実行するために用意され、番組がドラマの場合、「番組内のローカルイベント」情報を本編放映中、スポーツの場合は実況中のように、番組のジャンルにより放映中の表現が代るのでこれに対応できるよう格納されている。
【００８５】
本処理はさらに、ステップ４５２の後に実行される、図１６に示し前述したステップ３７４を含む。ステップ３７４の後、処理を終了する。
【００８６】
なお、ステップ４４４において、「番組内のローカルイベント」情報が空ではないと判定された場合、処理はステップ４４６からステップ４５２をスキップし、ステップ３７４へ進む。すなわちこの場合には、番組内のローカルイベント情報を用いて、番組情報画面が作成される。
【００８７】
−動作−
図２２に、図１０と同様に、それぞれの放送信号の経時変化と、当該時間帯にユーザがチャンネル切替指示を行なった場合の番組情報画面４７０、及び画面４７２との関係を示す。本実施の形態では、切替先チャンネル情報と、「現在放送中の番組」情報と、「番組内のローカルイベント」情報とを合成し作成された画面が表示され、さらに、当該番組が放映中であり、「番組内のローカルイベント」情報が空であった場合も、放映中である旨の表示がされる。本実施の形態を第３の実施の形態と比較する。オープニング中にチャンネル切替を行なうと、どちらの実施の形態においても、図１４に示す画面３５０、及び、図２２に示す画面４７０のように、「番組内のローカルイベント」情報信号２８６より取得した情報“オープニング”が表示される。しかし、番組放映中にチャンネル切替を行なうと、第３の実施の形態においては、「番組内のローカルイベント」情報信号２８６が空であるため、図１４に示す、画面３５６のように「番組内のローカルイベント」情報は何も表示されない。本実施の形態では、第３の実施の形態とは異なり、図２２に示す画面４７２のように、その番組に対応した番組放映中である旨を示す情報“実況中”が表示される。
【００８８】
［第６の実施の形態］
−構成−
第１の実施の形態では、ある番組が終了し次の番組が始まるまでの間にチャンネル切替があった場合、表示される番組情報画面として、既に終了した番組の情報を表示する。本実施の形態は、これとは異なり、番組終了１０分前から５分前の間、現在放送中の番組情報と、次に放送予定の番組情報とを表示し、番組終了５分前から終了までの間、次に放送予定の番組情報を表示する。
【００８９】
図２３は、図５に示すステップ１５０、及び図６に示すステップ１６６において起動される、番組情報表示画面作成処理に対応する、本実施の形態における番組情報表示画面作成処理のフローチャートである。この処理は、図９に示し前述したステップ２４０と、図１５に示し前述したステップ３６２と、その後、取得した「現在放送中の番組」情報より「番組終了時刻」を取得するステップ４８４と、ステップ４８４の後、時計１１０より「現在時刻」を取得するステップ４８６と、「番組終了時刻」と「現在時刻」とを比較するステップ４８８と、ステップ４８８の後に実行され、「番組終了時刻」と「現在時刻」との差が１０分以上か否かを判定するステップ４９０と、ステップ４９０において「番組終了時刻」と「現在時刻」との差が１０分以上であると判定されたことに応答して実行される、図９に示すステップ２４４とを含む。ステップ２４４の後、処理を終了する。
【００９０】
本処理は更に、ステップ４９０において「番組終了時刻」と「現在時刻」との差が１０分未満であると判定されたことに応答して実行され、「番組終了時刻」と「現在時刻」との差が５分以上か否かを判定するステップ４９４と、ステップ４９４において「番組終了時刻」と「現在時刻」との差が５分以上であると判定されたことに応答して実行される、図１５に示し前述したステップ３６４とを含む。ステップ３６４の後、処理を終了する。
【００９１】
本処理は更に、ステップ４９４において「番組終了時刻」と「現在時刻」との差が５分未満であると判定されたことに応答して実行される、図１１に示し前述したステップ３０４を含む。ステップ３０４の後、処理を終了する。
【００９２】
−動作−
図２４に、図１０と同様に、それぞれの放送信号の経時変化と、当該時間帯にユーザがチャンネル切替指示を行なった場合の番組情報画面５００、画面５０２及び画面５０４との関係を示す。本実施の形態では、切替先チャンネル情報に加え、「現在放送中の番組」情報と、「次に放送予定の番組」情報とを、現在時刻に応じて合成し作成された画面が表示される。例えば、２０：０３にチャンネル切替を行なった場合、現在時刻と放映中番組の終了時刻２０：５４との差は５１分であり１０分以上ある。この場合、図２４を参照して、画面５００のように「現在放送中の番組」情報が表示される。２０：４７にチャンネル切替を行なった場合、現在時刻と終了時刻との差は８分、すなわち、１０分未満５分以上である。したがってこの場合、画面５０２のように「現在放送中の番組」情報及び「次に放送予定の番組」情報が表示される。また、２０：５３にチャンネル切替を行なうと、現在時刻と終了時刻との差は１分、すなわち、５分未満である。このときは画面５０４のように「次に放送予定の番組」情報が表示される。
【００９３】
本実施の形態では、番組終了１０分前から終了までの間には、番組情報画面の一部として、次に放送予定の番組情報を表示する。このため、ユーザは、チャンネル切替を行なった時に、利益性の低い終了間際または終了した番組の情報ではなく、より有益な、次に放送予定の番組情報を取得することができる。
【００９４】
［第７の実施の形態］
−構成−
本実施の形態は、チャンネル切換時の番組情報表示画面として、番組内のローカルイベント情報と、現在放送中の番組情報、及び次に放送予定の番組情報のいずれか一つ、またはその双方とを、現在時刻に応じて合成し、番組情報画面として表示する。さらに、番組放映中で「番組のローカルイベント」情報が空のとき、番組が放映中である旨の文字情報を作製し表示する。本実施の形態における番組情報表示画面作成処理は、第５の実施の形態と第６の実施の形態を組合せている。
【００９５】
図２５及び図２６は、図５に示すステップ１５０、及び図６に示すステップ１６６において起動される、番組情報表示画面作成処理に対応する、本実施の形態における番組情報表示画面作成処理のフローチャートである。本処理を、図２０及び図２３と対比させて説明する。図２５及び図２６を参照して、図２０に示すステップ２４０、ステップ４４２、ステップ４４４、ステップ４４６、ステップ４４８、ステップ４５０及びステップ４５２と同様の処理を、それぞれ、図２５に示すステップ２４０、ステップ４４２、ステップ４４４、ステップ４４６、ステップ４４８、ステップ４５０及びステップ４５２において行なう。ただし、本実施の形態に係る処理は、ステップ２４０とステップ４４２の間に、図１７に示し前述したステップ３８２を有する。ステップ４４４においてＮＯと判定された場合及びステップ４５２の後、処理は図２６に示すステップ４８６へ進む。
【００９６】
本処理は、図２３に示すステップ４８６、ステップ４８８、ステップ４９０、ステップ２４４、ステップ４９４、ステップ３６４及びステップ３０４と同様の処理を、それぞれ、図２６に示すステップ４８６、ステップ４８８、ステップ４９０、ステップ３７４、ステップ４９４、ステップ３８４及びステップ３９４において行なう。ただし、ステップ３７４、ステップ３８４、及びステップ３９４において取り扱う情報は、ステップ２４４、ステップ３６４及びステップ３０４のそれに「番組内のローカルイベント」情報を加えたものとする。ステップ３７４、ステップ３８４、及びステップ３９４の後、処理を終了する。
【００９７】
−動作−
図２７に、図１０と同様に、それぞれの放送信号の経時変化と、当該時間帯にユーザがチャンネル切替指示を行なった場合の番組情報画面５５０、画面５５２、画面５５４、及び画面５５６との関係を示す。本実施の形態では、切替先チャンネル情報と、「番組内のローカルイベント」情報に加え、「現在放送中の番組」情報と、「次に放送予定の番組」情報とを、現在時刻に応じて合成し作成された画面が表示される。例えば、２０：０３にチャンネル切替を行なった場合、現在時刻と放映中番組の終了時刻２０：５４との差は５１分であり１０分以上あるので、図２７を参照して画面５５０のように「現在放送中の番組」情報が表示される。「番組内のローカルイベント」情報は情報信号２８６より“オープニング”を取得する。次に、２０：４７にチャンネル切替を行なった場合、現在時刻と終了時刻との差は８分、すなわち、１０分未満５分以上であるので、画面５５２のように「現在放送中の番組」情報及び「次に放送予定の番組」情報が表示される。「番組内のローカルイベント」情報は“ＣＭ中”と表示される。また、２０：５３にチャンネル切替を行なうと、現在時刻と終了時刻との差は１分、すなわち、５分未満であり、画面５５４のように「次に放送予定の番組」情報が表示される。「番組内のローカルイベント」情報は信号２８６より“ＣＭ中”と表示される。なお、２０：１０にチャンネル切替を行なった場合、現在時刻より「現在放送中の番組」情報が表示されるが、番組放映中のため情報信号２８６の情報は空となる。しかしこの場合、「番組内のローカルイベント」情報として放映中の旨の表示が加わる。すなわち、図２１に示すローカルイベントテーブル４６０が取得され、「現在放送中の番組」情報からこの番組の「ジャンル」が「スポーツ」であるため、この「番組内のローカルイベント」情報は「実況中」と決定され画面５５６のように表示される。
【００９８】
以上のように本発明に係るデジタルテレビ放送受信装置８０によれば、表示中のチャンネルから他のチャンネルに切替えるようユーザの指示があった場合、切替先のチャンネルの映像信号の表示が可能になるまでの間、文字情報、すなわち、切替先のチャンネルと、その時点においてそのチャンネルで放送されている番組の情報が表示される。その結果、画面が完全に真っ暗になってしまうことがなくなり、ユーザは、全く映像が見られないという不満を解消することができ、さらに、チャンネル切替時の時間を有効利用して、次に視聴する番組の情報という、有益な情報を得ることが可能になる。
【００９９】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１００】
【図１】従来の技術によるチャンネル切替時の映像シーケンスを示す模式図である。
【図２】本発明の第１の実施の形態に係るデジタルテレビ放送受信装置による、チャンネル切替時の映像シーケンスを模式的に示す図である。
【図３】第１の実施の形態に係るデジタルテレビ放送受信装置８０の概略ブロック図である。
【図４】図３に示すデジタルテレビ放送受信処理ブロック９２の概要ブロック図である。
【図５】デジタルテレビ放送受信装置８０の中央処理部１０４で実行されるチャンネルメイン制御プログラムを示すフローチャートである。
【図６】図５のステップ１４０においてＮＯと判定された場合、実行される処理のフローチャートである。
【図７】「『番組内のローカルイベント』情報と『表示レイアウト』情報の対応テーブル」１９０を示す図である。
【図８】図５のステップ１４６において起動され、デジタルテレビ放送受信処理ブロック９２において実行されるチャンネル切替処理を示すフローチャートである。
【図９】図５のステップ１５０及び図６のステップ１６６において起動される、「現在放送中の番組」情報の表示画面作成処理を示すフローチャートである。
【図１０】第１の実施の形態における、受信された情報信号の経時変化と、チャンネル切替指示と、番組情報表示画面の関係を示す図である。
【図１１】第２の実施の形態において、図５のステップ１５０及び図６のステップ１６６において起動される、「次に放送予定の番組」情報の表示画面作成処理を示すフローチャートである。
【図１２】第２の実施の形態における、受信された情報信号の経時変化と、チャンネル切替指示と、番組情報表示画面の関係を示す図である。
【図１３】第３の実施の形態において、図５のステップ１５０及び図６のステップ１６６において起動される、「番組内のローカルイベント」情報の表示画面作成処理を示すフローチャートである。
【図１４】第３の実施の形態における、受信された情報信号の経時変化と、チャンネル切替指示と、番組情報表示画面の関係を示す図である。
【図１５】第４の実施の形態において、図５のステップ１５０及び図６のステップ１６６において起動される、「現在放送中の番組」情報と「次に放送予定の番組」情報との表示画面作成処理を示すフローチャートである。
【図１６】第４の実施の形態の変形例１において、図５のステップ１５０及び図６のステップ１６６において起動される、「現在放送中の番組」情報と、「番組内のローカルイベント」情報との表示画面作成処理を示すフローチャートである。
【図１７】第４の実施の形態の変形例２において、図５のステップ１５０及び図６のステップ１６６において起動される、「現在放送中の番組」情報と、「次に放送予定の番組」情報と、「番組内のローカルイベント」情報との表示画面作成処理を示すフローチャートである。
【図１８】第４の実施の形態の変形例３において、図５のステップ１５０及び図６のステップ１６６において起動される、「次に放送予定の番組」情報と、「番組内のローカルイベント」情報との表示画面作成処理を示すフローチャートである。
【図１９】第４の実施の形態における、受信された情報信号の経時変化と、チャンネル切替指示と、番組情報表示画面の関係を示す図である。
【図２０】第５の実施の形態において、図５のステップ１５０及び図６のステップ１６６において起動される、「現在放送中の番組」情報と、「番組内のローカルイベント」情報との表示画面作成処理を示すフローチャートである。
【図２１】「データがないときのローカルイベント」テーブル４６０である。
【図２２】第５の実施の形態における、受信された情報信号の経時変化と、チャンネル切替指示と、番組情報表示画面の関係を示す図である。
【図２３】第６の実施の形態において、図５のステップ１５０及び図６のステップ１６６において起動される、「現在放送中の番組」情報と、「次に放送予定の番組」情報との表示画面作成処理を示すフローチャートである。
【図２４】第６の実施の形態における、受信された情報信号の経時変化と、チャンネル切替指示と、番組情報表示画面の関係を示す図である。
【図２５】第７の実施の形態において、図５のステップ１５０及び図６のステップ１６６において起動される、「現在放送中の番組」情報と、「次に放送予定の番組」情報と、「番組内のローカルイベント」情報との表示画面作成処理を示すフローチャートである。
【図２６】図２５のステップ４４４においてＮＯと判定された場合、及びステップ４５２の後に実行される処理を示すフローチャートである。
【図２７】第７の実施の形態における、受信された情報信号の経時変化と、チャンネル切替指示と、番組情報表示画面の関係を示す図である。
【符号の説明】
【０１０１】
８０  デジタルテレビ放送受信装置
９０  アンテナ端子
９２  デジタルテレビ放送受信処理ブロック（受信処理ブロック）
９４  限定受信認証鍵格納部
９６  映像処理部
９８  音声処理部
１００  表示部
１０２  音声出力部
１０３  バス
１０４  中央処理部
１０６  主記憶部
１０８  補助記憶部
１１０  時計
１１２  ユーザ入力受付部
１１４  リモコン
１１６  操作パネル
１２０  デジタル放送フロントエンド処理部チューナ（チューナ）
１２２  復調部
１２４  多重信号分離部
１２６  番組特定情報サービス情報処理部
１２８  映像信号暗号解除処理部
１３０  音声信号暗号解除処理部
１３２  映像信号復号部
１３４  音声信号復号部
【図１】
2008294685.tif 000003
【図２】
2008294685.tif 000004
【図３】
2008294685.tif 000005
【図４】
2008294685.tif 000006
【図５】
2008294685.tif 000007
【図６】
2008294685.tif 000008
【図７】
2008294685.tif 000009
【図８】
2008294685.tif 000010
【図９】
2008294685.tif 000011
【図１０】
2008294685.tif 000012
【図１１】
2008294685.tif 000013
【図１２】
2008294685.tif 000014
【図１３】
2008294685.tif 000015
【図１４】
2008294685.tif 000016
【図１５】
2008294685.tif 000017
【図１６】
2008294685.tif 000018
【図１７】
2008294685.tif 000019
【図１８】
2008294685.tif 000020
【図１９】
2008294685.tif 000021
【図２０】
2008294685.tif 000022
【図２１】
2008294685.tif 000023
【図２２】
2008294685.tif 000024
【図２３】
2008294685.tif 000025
【図２４】
2008294685.tif 000026
【図２５】
2008294685.tif 000027
【図２６】
2008294685.tif 000028
【図２７】
2008294685.tif 000029